(57)【要約】      （修正有）【課題】ゴルフプレーヤーがより正確で安定性のあるゴルフスイングをするために、正しいインパクト時のグリップの位置を習得するゴルフスイング矯正器具を提供する。【解決手段】ゴルフスイング矯正器具１は、Ｌ字金具の垂直面２ｂに取り付けた収納金具８に収納した木板９によって棒状体Ａを支持し、加えてＬ字金具の接地面２ａに取り付けたコードクリップ５と６によって棒状体Ａを保持する構成になっている。本器具は木板９を上下にスライドさせることによって棒状体Ａの高さを調整し、コードクリップ５と６に棒状体Ａを移動して棒状体Ａの傾斜角度を調整し、さらに棒状体Ａ１を自在に伸縮することによって、棒状体Ａ１の先端がプレーヤーのアドレス時のグリップ斜め上方に位置するようにして用いる器具である。【選択図】図５
0003193477.tif 000002
【実用新案登録請求の範囲】
【請求項１】
Ｌ字金具の垂直面に取り付けた収納金具に収納した木板は、上下にスライドさせることによって、支持する棒状体の高さを調整する機能を有する。また、Ｌ字金具の接地面に２か所取り付けたコードクリップは、棒状体を保持する機能と、保持する場所を移動することによって棒状体の傾斜角度を調整する機能を有している。この２種類の機能を使うことによって様々な状況に応じた対応ができることを特徴とするゴルフスイング矯正器具。
【請求項２】
前記木板は、木板を貫通した化粧ネジを装着し、このネジを締めると木板を収納した収納金具の背面部に接地することによって木板を任意の高さに仮止めができる構造になっていることを特徴とするゴルフスイング矯正器具。
【請求項３】
前記収納金具は、カーテンレールを任意の長さに切断し、Ｌ字金具の垂直面に取り付けて木板の収納及びガイドレールの機能を持つことを特徴とするゴルフスイング矯正器具。
【請求項４】
前記棒状体は、軽量なアルミ製パイプを使用し、ゴルフスイング中に身体が触れると支持している木板から容易に落下する構造になっていることを特徴とするゴルフスイング矯正器具。
【請求項５】
前記請求項１〜５の部品は、市販品に軽微な加工（カーテンレールの切断、収納金具の固定用穴あけ、木板の角削除）を施してこれを活用していることを特徴とするゴルフスイング矯正器具。
【考案の詳細な説明】
【技術分野】
【０００１】  本考案は、ゴルフスイングを矯正するための器具に関する。
【背景技術】
【０００２】  従来からあるゴルフスイング矯正器具の中には、スイング中のグリップの位置を規制してゴルフスイングの矯正をするための器具がある（例えば、特許文献１参照）。この器具は、調整板の傾き角度を変えることで支持板に取り付けた棒状体の先端が、プレーヤーのアドレス時にグリップの上方に位置するようにして用いる構造になっている。
しかしながら、棒状体の位置を調整する機能が調整板によるものだけであるため、細やかな調整ができにくい欠点がある。【０００３】  また、従来からあるゴルフスイング矯正器具の中には、器具製作に高度な加工技術が必要とするものが多く、多くの時間と多額の費用を要するなどの欠点がある（例えば、特許文献２参照）。
【先行技術文献】
【特許文献】
【０００４】
【特許文献１】  特開２０１３−１３８７７５  広報
【特許文献２】  特開２００１−２５９１０４  広報
【考案の概要】
【考案が解決しようとする課題】
【０００５】  本考案は、以上のような従来の欠点に鑑み、ゴルフプレーヤーは大人と子供では身長差があり、加えて使用するゴルフクラブによっても長短がある。本器具は棒状体の高低調整機能と傾斜角度調整機能の２つの機能を有することによって、このように様々な状況に対応することができるゴルフスイング矯正器具を提供する事を目的としている。【０００６】  さらに本考案は、市販されている種々の部品に軽微な加工を施すだけで、安価で簡単にそれらを組み合わせることによって機能することができるゴルフスイング矯正器具を提供する事を目的としている。
【課題を解決するための手段】
【０００７】  上記目的を達成するために、本考案のゴルフスイング矯正器具１は、Ｌ字金具の垂直面２ｂに取り付けた収納金具８に収納した木板９によって棒状体Ａを支持し、加えてＬ字金具の接地面２ａに取り付けたコードクリップ５と６によって棒状体Ａを保持する構成になっている。本器具は木板９を上下にスライドさせることによって棒状体Ａの高さを調整し、コードクリップ５と６に棒状体Ａを移動して棒状体Ａの傾斜角度を調整し、さらに棒状体Ａ１を自在に伸縮することによって、棒状体Ａ１の先端がプレーヤーのアドレス時のグリップ斜め上方に位置するようにして用いる器具である。
【考案の効果】
【０００８】  以上の説明から明らかなように、本考案にあたっては次に列挙する効果が得られる。
（１）請求項１に記載のとおり本器具は、木板の上下に加えて、コードクリップを移動することで棒状体の先端位置調整をより大幅にできるような構造にしたことにより、プレーヤーの身長や使用するゴルフクラブに合わせて調整することができる。
したがって、本考案器具は、ゴルフ練習時に反復してプレーヤーのアドレス時におけるグリップの位置を制御することで、ゴルフプレーの安定性を増進させるゴルフスイング矯正器具を提供することができる。【０００９】（２）請求項５に記載のとおり本器具は、市販されている部品を使って組み合わせしているので、安価でしかも簡単に製作することができる。【００１０】（３）請求項４に記載のとおり本器具に設置する棒状体は、軽量材質でありゴルフスイング中に触れると容易に落下する構造になっており、安全に使用することができる。【００１１】（４）請求項２、３も前記（１）〜（３）と同様な効果が得られる。
【図面の簡単な説明】
【００１２】
【図１】本考案を実施するための最良の第１の形態の主要部の斜視図である。
【図２】本考案の木板収納部の斜視図
【図３】本考案の棒状体の斜視図
【図４】本考案の棒状体保持部の斜視図
【図５】本考案のゴルフスイング矯正器具の使用状態を示すイメージ図
【考案を実施するための形態】
【００１３】以下、本考案の実施の形態を図に基づいて説明する。
【実施例１】
【００１４】  図１は、本考案器具の主要部の斜視図であって、これを使用するには先ず本器具を適所に置き、棒状体を支持する木板に載せコードクリップで保持する。次にプレーヤーがアドレスし、棒状体の先端をグリップの位置の斜め上方にセットする。【００１５】  図５は、本考案器具の使用状態のイメージ図であって、これを使用するにあたってプレーヤーは、ゴルフスイングにおけるグリップの位置をインパクト前後にかけては常に本器具の棒状体の下方を通過させるようにスイングすることによってゴルフスイングの矯正が得られる。
【符号の説明】
【００１６】１・・・・ゴルフスイング矯正器具
２ａ，２ｂ・・・・Ｌ字金具
３，４・・・・支え金具
５，６・・・・コードクリップ
７・・・・化粧ネジ
８・・・・収納金具
９・・・・木板
１０，１０ａ，１０ｂ・・・・ボルト
Ａ，Ａ１・・・・棒状体
Ｂ，Ｂ１・・・・キャップ
【図１】
0003193477.tif 000003
【図２】
0003193477.tif 000004
【図３】
0003193477.tif 000005
【図４】
0003193477.tif 000006
【図５】
0003193477.tif 000007
【手続補正書】
【提出日】平成26年5月30日(2014.5.30)
【手続補正１】
【補正対象書類名】実用新案登録請求の範囲
【補正対象項目名】全文
【補正方法】変更
【補正の内容】
【実用新案登録請求の範囲】
【請求項１】
Ｌ字金具の垂直面に取り付けた収納金具に収納した木板は、上下にスライドさせることによって支持する棒状体の高さを調整する機能を有し、また、Ｌ字金具の接地面に２か所取り付けたコードクリップは、棒状体を保持する機能と、保持する場所を移動することによって棒状体の傾斜角度を調整する機能を有しており、この３種類の機能を使うことによって様々な状況に応じた対応ができることを特徴とするゴルフスイング矯正器具。
【請求項２】
収納金具に収納し上下にスライドさせることによって支持する棒状体の高さを調整する木板は、木板を貫通した化粧ネジを装着し、このネジを締めると木板を収納した収納金具の背面部に接地することによって木板を任意の高さに仮止めができる構造になっていることを特徴とするゴルフスイング矯正器具。
【請求項３】
木板を収納する収納金具は、カーテンレールを任意の長さに切断し、Ｌ字金具の垂直面に取り付けて木板の収納及びガイドレールの機能を持つことを特徴とするゴルフスイング矯正器具。
【請求項４】
プレーヤーのスイング中のグリップの位置を規制する棒状体は、軽量のアルミ製パイプを使用し、ゴルフスイング中に身体が触れると支持している木板から容易に落下することによって安全面を考慮した構造になっていることを特徴とするゴルフスイング矯正器具。
【手続補正書】
【提出日】平成26年7月17日(2014.7.17)
【手続補正１】
【補正対象書類名】実用新案登録請求の範囲
【補正対象項目名】全文
【補正方法】変更
【補正の内容】
【実用新案登録請求の範囲】
【請求項１】
Ｌ字金具の垂直面に取り付けた収納金具と、前記収納金具に収納した木板とを有し、棒状体は前記木板の上端において支持され、前記木板は上下にスライドさせることによって前記棒状体の高さを調整する機能を有し、また、前記Ｌ字金具の接地面に２か所取り付けたコードクリップは、棒状体を保持する機能と、保持する場所を移動することによって棒状体の傾斜角度を調整する機能を有しており、この３種類の機能を使うことによって様々な状況に応じた対応ができることを特徴とする、ゴルフスイング矯正器具。
【請求項２】
前記木板を貫通した化粧ネジを装着し、このネジを締めると木板を収納した前記収納金具の背面部に接地することによって、木板を任意の高さに仮止めができることを特徴とする、請求項１に記載のゴルフスイング矯正器具。
【請求項３】
前記収納金具は、カーテンレールを任意の長さに切断し、前記Ｌ字金具の垂直面に取り付けて、前記木板の収納及びガイドレールの機能を持つことを特徴とする、請求項１又は２に記載のゴルフスイング矯正器具。
【請求項４】
前記棒状体は、軽量のアルミ製パイプにより構成されていることを特徴とする、請求項１〜３いずれか１項に記載のゴルフスイング矯正器具。